(57)【要約】【課題】遊技機の交換作業等を極めて簡略化することができ、従業員一人でも簡単に遊技機を運搬し、交換することができる遊技機交換システムを提供する。【解決手段】島Ｐの上部長手方向に沿って配設されたレール体１０と、該移動レール体１０に懸吊され遊技機Ｑを着脱自在に吊持するクランプ装置２０とを備える。クランプ装置２０に吊持した遊技機Ｑを、クランプ装置２０と共にレール体１０で移動せしめ、島Ｐの外側と島Ｐの開口部Ｐ１の前との間で遊技機Ｑを搬送するように設ける。島Ｐの前面に装着された受皿置き用のテーブル装置３０を上下動自在に装着する。該テーブル装置３０の高さを島Ｐの開口部Ｐ１下端縁の高さに調整して遊技機Ｑの着脱作業時に遊技機Ｑを載置するように設ける。【選択図】  図４
2008036251.tif 000002
【特許請求の範囲】
【請求項１】
新旧の遊技機を遊技機用の各島に着脱する遊技機交換システムにおいて、島の上部長手方向に沿って配設されたレール体と、該レール体に懸吊され遊技機を着脱自在に吊持するクランプ装置とを備え、クランプ装置に吊持した遊技機を、クランプ装置と共にレール体で移動せしめ、島の外側と島の開口部の前との間で遊技機を搬送するように設けたことを特徴とする遊技機交換システム。
【請求項２】
前記遊技機用の島は、金属製の枠材にて設けられると共に、島の開口部に台装着枠体を装着し、該台装着枠体に備えたクランプ体にて台装着枠体の内部に装着した遊技機を固定するように設けた請求項１記載の遊技機交換システム。
【請求項３】
前記遊技機用の各島において、島の前面に装着された受皿置き用のテーブル装置を上下動自在に装着し、該テーブル装置の高さを前記島の開口部下端縁の高さに調整して前記遊技機の着脱作業時に遊技機を載置するように設けられた請求項１又は２記載の遊技機交換システム。
【請求項４】
前記テーブル装置は、受皿を載置せしめる載置板の下面に装着され、該載置板を上下に移動せしめる上下作動レバーと、該上下作動レバーに連動して載置板を略水平に支持する支持アームと、該支持アームと上下作動レバーとの下端部に設けられ上昇した載置板を支持固定するストッパーとを備えた請求項３記載の遊技機交換システム。
【請求項５】
前記テーブル装置の載置板は、上板と下板との二重構造を成し、いずれか一方の板が略水平に迫り出して載置板の幅が、遊技機を載置可能な幅に広がるように設けられた請求項３又は４記載の遊技機交換システム。
【請求項６】
前記クランプ装置において、遊技機の上部左右側面を挟着固定するクランプ体と、該クランプ体の開閉に連動し、固定された遊技機を僅かに持ち上げた状態で固定するクランプレバーとを備えた請求項１記載の遊技機交換システム。
【発明の詳細な説明】
【技術分野】
【０００１】
本発明は、パチンコ台又はスロットマシーン等の新旧の遊技機を交換するのに好適な遊技機交換システムに関する。
【背景技術】
【０００２】
パチンコ台やスロットマシーン等の遊技機用の島に遊技機を装着するには、島の開口窓部に遊技機を直接装着する工事が行われている。たとえばパチンコ島への取付け作業の場合、先ず、パチンコ島の取付け開口部に遊技機の取付け枠を釘等で固定する。次に、この取付け枠に遊技機を取り付ける作業になっている。また、古くなった遊技機を入れ替える場合は、取付け枠から遊技機を取り外し、次に取付け枠を新しい遊技機の取付け枠に交換した後、この取付け枠に新しい遊技機を装着する作業になる。したがって、遊技機Ｑの交換は、基本的に大工仕事になっている。
【０００３】
また、このような装着作業を簡略化するために、特許文献１に記載されたパチンコ機のユニット支持枠構造が提案されている。この支持枠構造では、パチンコ用の島に開口したひとつの開口部内に、パチンコ機二台分のユニットを一セットにして装着可能にすることで、装着効率を高めようとするものである。
【０００４】
一方、本発明者は、先に、特許文献２に示すパチンコ台取付装置を提案している。この取付装置では、パチンコ台に装着する台装着枠体に改良を加えることで、パチンコ台の着脱が極めて容易になり、しかも、台装着枠体を調整することで、熟練した技術を要せずともパチンコ台の装着角度を合理的、且つ効果的に調整することができるようにしたものである。
【特許文献１】特許第２７９４２３６号公報
【特許文献２】特許第３２７５１６２号公報
【発明の開示】
【発明が解決しようとする課題】
【０００５】
パチンコ台やスロットマシーン等の遊技機用の島に、遊技機を直接装着する従来の工事では、装着作業自体が大工仕事になるので、工事要員は大工の技術を有するものに限られており、一般の従業員が遊技機を装着できるものではなかった。しかも、パチンコ機は、一台、数10Kg程度の重量があるので、これらの遊技機を運搬し、各島に着脱する作業を手伝うための人員も必要になるなど、極めて多くの手間を要するものである。
【０００６】
また、特許文献１に記載された支持枠構造の如く、パチンコ機二台分のユニットを一セットにして装着可能にするものでは、一台分のユニットを装着する場合に比べて装着効率は良くなるが、着脱作業自体を効率化することはできない。すなわち、パチンコ機の搬入や排出は、人手による作業になるので、多数の遊技機を取り付けたり交換したりする作業は、従来と同じ労力を要するものである。
【０００７】
一方、当発明者が、先に発明した特許文献２の発明では、島の開口部に遊技機を着脱する作業を簡略化することはできても、島の開口部まで遊技機を運搬したり、古くなった遊技機を島の開口部から外して搬出したりする作業には、いまだ多くの手間を要するものになっていた。
【０００８】
そこで本発明は、特許文献２の発明を利用することで、遊技機の交換作業等を極めて簡略化することができるシステムを開発したもので、従業員一人でも簡単に遊技機を運搬し、交換することができる遊技機交換システムの提供を目的とするものである。
【課題を解決するための手段】
【０００９】
上述の目的を達成すべく本発明における第１の手段は、新旧の遊技機Ｑを遊技機用の各島Ｐに着脱する遊技機交換システムにおいて、島Ｐの上部長手方向に沿って配設されたレール体１０と、該移動レール体１０に懸吊され遊技機Ｑを着脱自在に吊持するクランプ装置２０とを備え、クランプ装置２０に吊持した遊技機Ｑを、クランプ装置２０と共にレール体１０で移動せしめ、島Ｐの外側と島Ｐの開口部Ｐ１の前との間で遊技機Ｑを搬送するように設けたことにある。
【００１０】
第２の手段の前記遊技機用の島Ｐは、金属製の枠材にて設けられると共に、島Ｐの開口部Ｐ１に台装着枠体Ｒを装着し、該台装着枠体Ｒに備えたクランプ体Ｒ１にて台装着枠体Ｒの内部に装着した遊技機Ｑを固定するように設けたものである。
【００１１】
第３の手段は、前記遊技機用の各島Ｐにおいて、島Ｐの前面に装着された受皿置き用のテーブル装置３０を上下動自在に装着し、該テーブル装置３０の高さを前記島Ｐの開口部Ｐ１下端縁の高さに調整して前記遊技機Ｑの着脱作業時に遊技機Ｑを載置するように設けられている。
【００１２】
第４の手段の前記テーブル装置３０は、受皿を載置せしめる載置板３１の下面に装着され、該載置板３１を上下に移動せしめる上下作動レバー３２と、該上下作動レバー３２に連動して載置板３１を略水平に支持する支持アーム３３と、該支持アーム３３と上下作動レバー３２との下端部に設けられ上昇した載置板３１を支持固定するストッパー３４とを備えている。
【００１３】
第５の手段の前記テーブル装置３０の載置板３１は、上板３１Ａと下板３１Ｂとの二重構造を成し、いずれか一方の板が略水平に迫り出して載置板３１の幅が、遊技機Ｑを載置可能な幅に広がるように設けられたものである。
【００１４】
第６の手段は、前記クランプ装置２０において、遊技機Ｑの上部左右側面を挟着固定するクランプ体２１と、該クランプ体２１の開閉に連動し、固定された遊技機Ｑを僅かに持ち上げた状態で固定するクランプレバー２２とを備えたことを課題解消のための手段とする。
【発明の効果】
【００１５】
本発明の請求項１により、クランプ装置２０に吊持した遊技機Ｑを、クランプ装置２０と共にレール体１０で移動せしめ、島Ｐの外側と島Ｐの開口部Ｐ１の前との間で遊技機Ｑを搬送するように設けたことで、遊技機の着脱作業を極めて簡略化することが可能になり、従業員一人でも簡単に遊技機を運搬し、交換することができる。
【００１６】
請求項２の如く、遊技機用の島Ｐを金属製の枠材にて設けると共に、台装着枠体Ｒに備えたクランプ体Ｒ１にて台装着枠体Ｒの内部に装着した遊技機Ｑを固定するように設けたことで、遊技機Ｑの交換が繰り返されても島Ｐの精度や遊技機Ｑの取付精度を長期間維持することが可能になる。この結果、これまで大工作業で行われていた遊技機Ｑの交換工事と比較して、トータルコストを下げることができ、メンテナンスも容易である。
【００１７】
請求項３、４、５により、該テーブル装置３０の高さを前記島Ｐの開口部Ｐ１下端縁の高さに調整し、遊技機Ｑを載置し易い状態に保持できる。この結果、数10Kg程度の遊技機Ｑでも、開口部Ｐ１へ着脱する作業を安全且つ正確に行うことが可能である。
【００１８】
請求項６により、遊技機Ｑの上部左右側面を挟着固定するクランプ体２１と、該クランプ体２１の開閉に連動し、固定された遊技機Ｑを僅かに持ち上げた状態で固定するクランプレバー２２とを備えているので、このクランプ体２１の操作ひとつで、遊技機Ｑの着脱操作と上下操作とを同時に行うことができる。
【００１９】
このように、本発明によると、遊技機の着脱作業を極めて簡略化することが可能になり、従業員一人でも簡単に遊技機を運搬し、交換することができるなどといった産業上有益な種々の効果を奏するものである。
【発明を実施するための最良の形態】
【００２０】
本発明交換システムの最良の形態は、島Ｐの上部長手方向に沿って配設されたレール体１０と、該移動レール体１０に懸吊され遊技機Ｑを着脱自在に吊持するクランプ装置２０とを備える。クランプ装置２０に吊持した遊技機Ｑを、クランプ装置２０と共にレール体１０で移動せしめ、島Ｐの外側と島Ｐの開口部Ｐ１の前途の間で遊技機Ｑを搬送するように設ける。遊技機用の島Ｐは、金属製の枠材にて設けられると共に、島Ｐの開口部Ｐ１に台装着枠体Ｒを装着する。島Ｐの前面に装着された受皿置き用のテーブル装置３０を上下動自在に装着する。該テーブル装置３０の高さを島Ｐの開口部Ｐ１下端縁の高さに調整して遊技機Ｑの着脱作業時に遊技機Ｑを載置するように設ける。クランプ装置２０は、遊技機Ｑの上部左右側面を挟着固定するクランプ体２１と、該クランプ体２１の開閉に連動し、固定された遊技機Ｑを僅かに持ち上げた状態で固定するクランプレバー２２とを備えることで当初の目的を達成するものである。
【実施例】
【００２１】
以下、本発明の一実施例を説明する。本発明交換システムの基本構成は、遊技機用の島Ｐ、レール体１０、クランプ装置２０、テーブル装置３０から構成される（図４参照）。
【００２２】
島Ｐは、金属製の枠材にて設けると共に、島Ｐの開口部Ｐ１に台装着枠体Ｒを装着している。この台装着枠体Ｒに備えたクランプ体Ｒ１にて台装着枠体Ｒの内部に装着した遊技機Ｑを固定するものである（図３参照）。
【００２３】
レール体１０は、島Ｐの上部長手方向に沿って配設されている（図４参照）。図示のレール体１０は、略水平に設置されたレール１１と、該レール１１に懸吊される左右一対のスライダー１２と、該スライダー１２の下端部に吊持された連結板１３とで構成されている（図６参照）。そして、この連結板１３に、後述するクランプ装置２０を着脱自在に吊持するものである。図示例では、平面略鍵穴状の連結孔１４を連結板１３に切り欠き形成し、クランプ装置２０を懸吊した吊りボルト１５に嵌合ナット１６をネジ止めして連結孔１４に着脱自在に嵌合するように設けている。嵌合ナット１６には、ナット部１６Ａと、連結孔１４に嵌合する嵌合凸部１６Ｂとを設けたものである（図９参照）。そして、連結孔１４の導入口１４Ａから連結孔１４に吊りボルト１５を導入し（図１０参照）、連結孔１４の嵌合部１４Ｂに固定ナット１６の嵌合凸部１６Ｂを嵌合させるものである（図９参照）。
【００２４】
クランプ装置２０は、移動レール体１０に懸吊されると共に、交換する遊技機Ｑを着脱自在に吊持する装置である。このクランプ装置２０には、更にクランプ体２１とクランプレバー２２とが備えられている。
【００２５】
クランプ体２１は、遊技機Ｑの上部左右側面を挟着固定する部材で、図示例では、クロスした一対のアーム２１Ａと、該アーム２１Ａに位置調整自在に設けられた左右一対の爪２１Ｂとを有し、この爪２１Ｂを開閉させて遊技機Ｑを装着した台装着枠体Ｒの側面を固定するものである（図６参照）。
【００２６】
クランプレバー２２は、クランプ体２１を上下に移動させるもので、クランプ体２１の開閉に連動する（図３参照）。そして、クランプレバー２２を上げた状態のときに、固定された遊技機Ｑが僅かに持ち上げられた状態になるように設定している。図示のクランプレバー２２は、ベース板２３に固定され、前記クランプ体２１に連結された支持アーム２４を上下操作できるように装着されている（図５参照）。更に、支持アーム２４には、固定ピン２４Ａが設けられており、この固定ピン２４Ａで懸吊アーム２５の高さを調整している（図６参照）。すなわち、支持アーム２４は、この固定ピン２４Ａと懸吊アーム２５とを介して前記レール体１０の連結板１３に連結されている。そして、クランプレバー２２の操作によって支持アーム２４を持ち上げると、固定ピン２４Ａと懸吊アーム２５が持ち上がった状態で固定されるものである。
【００２７】
図示例では、懸吊アーム２５を揺動自在に支持すると共に、固定ピン２４Ａを挿通する長孔２５Ａを上下に長く開穿している（図６参照）。この長孔２５Ａの下端部から固定ピン２４Ａが上昇するに連れて、クランプ体２１が遊技機Ｑを挟着固定する。更に、固定ピン２４Ａが長孔２５Ａの上端部に接してから更に支持アーム２４を持ち上げると、この固定ピン２４Ａが懸吊アーム２５を上昇させた状態でクランプレバー２２が固定される。すると、僅かに上昇した懸吊アーム２５により、クランプ体２１に固定された遊技機Ｑが僅かに浮き上がるものとなる。
【００２８】
このように、クランプ装置２０に台装着枠体Ｒごと吊持した遊技機Ｑを、クランプ装置２０と共にレール体１０で移動せしめ、島Ｐの外側から島Ｐの開口部Ｐ１の前にかけて遊技機Ｑを搬送するように設けている（図４参照）。島Ｐの外に搬送された遊技機Ｑは、移動リフトＳの上でクランプ装置２０から解除され、この移動リフトＳで移動する。
【００２９】
テーブル装置３０は、遊技機Ｑの着脱作業時に遊技機Ｑを載置するものである。このテーブル装置３０は、もともと受皿置き用として、島Ｐの前面に装着されているもので、遊技機Ｑの交換時には、このテーブル装置３０の高さと幅を調整して、遊技機Ｑを台装着枠体Ｒごと載置できるように設けている。そのため、このテーブル装置３０は、載置板３１、上下作動レバー３２、支持アーム３３を備えている（図８参照）。
【００３０】
載置板３１は、もともと受皿を載置せしめる板であるが、上板３１Ａと下板３１Ｂとの二重構造を成している（図７参照）。そして、いずれか一方の板が略水平に迫り出して載置板３１の幅が、遊技機Ｑを載置可能な幅に広がるように設けたものである。図示例では、上板３１Ａが迫り出す構造で、上板３１Ａの下面に突設したスライド突起３１Ｃを、下板３１Ｂの板面に略Ｌ字形状に開穿したスライド溝３１Ｄに沿って移動させることで、載置板３１の幅を固定するものである。尚、図中符号３１Ｅは、上板３１Ａを引き戻すスプリングである。
【００３１】
上下作動レバー３２は、載置板３１の下面に装着され、該載置板３１を上下に移動せしめる部材であり、この上下作動レバー３２を手指で操作することで、載置板３１の高さを調整する（図８参照）。図示の上下作動レバー３２は、略への字形状をなし、後述する支持アーム３３に揺動ピン３２Ａにて揺動自在に連結している。
【００３２】
支持アーム３３は、上下作動レバー３２に連動して載置板３１を略水平に支持する部材で、この支持アーム３３と上下作動レバー３２との下端部には、後述するストッパー３４が設けられている。図示の支持アーム３３は、側面略逆Ｌ字形状をなしており、支持アーム３３の反対側に延長する補強アーム３５を連結して支持アーム３３の支持力を高めている。
【００３３】
ストッパー３４は、上昇した載置板３１を支持固定するもので、図示例では、上下作動レバー３２の下端部に略逆Ｌ字状に切り欠いた係止部３４Ｂを形成している（図８参照）。そして、支持アーム３３の下端部とストッパー３４の下端部とを略クランク状に固定ピン３４Ａにて連結し、上下作動レバー３２を上げたときに、係止部３４Ｂが固定ピン３４Ａに係止するストッパー３４を示している。
【００３４】
次に、本発明交換システムの使用方法を説明する。古くなった遊技機Ｑを島Ｐの外に搬出する場合、先ず、台装着枠体Ｒから遊技機Ｑが抜き取るように台装着枠体Ｒのクランプ体Ｒ１を解除する。次に、テーブル装置３０の高さを調整して開口部Ｐ１の下端部の位置に合わせ、載置板３１を広げて遊技機Ｑを載置できるように設置する（図１参照）。更に、島Ｐの開口部Ｐ１から遊技機Ｑを取り外し、テーブル装置３０の載置板３１に載せる（図２参照）。このとき、遊技機Ｑに連結されている各種のケーブルは、全て取り外す。
【００３５】
続いて、取り外した遊技機Ｑの位置までクランプ装置２０を移動させ、クランプレバー２２の操作により、クランプ体２１で遊技機Ｑを挟着固定する（図３参照）。この状態で更にクランプレバー２２を上げて固定することで、遊技機Ｑをテーブル装置３０から持ち上げる。
【００３６】
更に、クランプ装置２０に遊技機Ｑを吊持した状態で、レール体１０に沿ってクランプ装置２０ごと遊技機Ｑを島Ｐの外まで搬出する（図４参照）。搬出された遊技機Ｑを、島Ｐの外に設置している移動リフトＳの上に載置する。このとき、遊技機Ｑを載置できるように移動リフトＳの高さを調整しておく。そして、移動リフトＳに遊技機Ｑを載置した状態でクランプレバー２２を下げ、クランプ装置２０を解除する。この後、遊技機Ｑを移動リフトＳで移動して新しい遊技機Ｑと交換する。新しい遊技機Ｑを装着する手順はこの逆手順となる。
【００３７】
尚、本発明は、図示例に限定されるものではなく、たとえば、レール体１０、クランプ装置２０、テーブル装置３０などの設計変更は勿論、形状やサイズの変更など、本発明の要旨を変更しない範囲において自由に変更できるものである。
【図面の簡単な説明】
【００３８】
【図１】本発明の島に遊技機を装着した例を示す概略斜視図である。
【図２】本発明の島から遊技機を取り外す状態を示す概略側面図である。
【図３】本発明の遊技機をクランプ装置で吊り上げる状態を示す概略側面図である。
【図４】本発明のクランプ装置で遊技機を搬送する状態を示す概略斜視図である。
【図５】本発明のクランプ装置の一実施例を示す要部側面図である。
【図６】本発明のクランプ装置の一実施例を示す要部正面図である。
【図７】本発明のテーブル装置を開いた状態を示す斜視図である。
【図８】本発明のテーブル装置の高さを調整した状態を示す概略側面図である。
【図９】本発明の嵌合ナットの一実施例を示す正面図である。
【図１０】本発明の連結孔の一実施例を示す平面図である。
【符号の説明】
【００３９】
Ｐ  島
Ｐ１  開口部
Ｑ  遊技機
Ｒ  台装着枠体
Ｓ  移動リフト
１０  レール体
１１  レール
１２  スライダー
１３  連結板
１４  連結孔
１４Ａ 導入口
１４Ｂ 嵌合部  
１５  吊りボルト
１６ 嵌合ナット
１６Ａ ナット部
１６Ｂ 嵌合凸部
２０  クランプ装置
２１  クランプ体
２１Ａ  アーム
２１Ｂ  爪
２２  クランプレバー
２３  ベース板
２４  支持アーム
２４Ａ  固定ピン
２５  懸吊アーム
２５Ａ  長孔
３０  テーブル装置
３１  載置板
３１Ａ  上板
３１Ｂ  下板
３１Ｃ  スライド突起
３１Ｄ  スライド溝
３１Ｅ  スプリング
３２  上下作動レバー
３２Ａ  揺動ピン
３３  支持アーム
３４  ストッパー
３４Ａ  固定ピン
３４Ｂ  係止部
３５  補強アーム
【図１】
2008036251.tif 000003
【図２】
2008036251.tif 000004
【図３】
2008036251.tif 000005
【図４】
2008036251.tif 000006
【図５】
2008036251.tif 000007
【図６】
2008036251.tif 000008
【図７】
2008036251.tif 000009
【図８】
2008036251.tif 000010
【図９】
2008036251.tif 000011
【図１０】
2008036251.tif 000012